(57)【要約】      （修正有）【課題】インクの色に関するユーザーの要望に即座に応えることができつつも、在庫を少なくし、且つ製造計画の立案を容易にすることを可能とするインク供給体及び自動着肉式スタンプを提供する。【解決手段】インク供給体は、押印力を作用させると印章５０の印面５１が押印対象物Ｐと当接する位置に進出し、押印力を解除すると印章５０が退避するように構成される自動着肉式スタンプに対して着脱可能に構成され、印章５０の印面５１に対してインクを供給するインク供給体であって、インクを供給するインク供給部を少なくとも二つ有し、異なる向きでスタンプ本体に取り付けることで、異なるインク供給部が前記印章５０の印面５１に対してインクを供給可能に構成される。【選択図】図３
0003141178.tif 000002
【実用新案登録請求の範囲】
【請求項１】
印章を内蔵するスタンプ本体を押印対象物に宛がい該押印対象物に向かって押印力を作用させると、前記印章の印面が押印対象物と当接する位置に前記印章が進出し、押印力を解除すると前記印章が退避するように構成される自動着肉式スタンプに対して着脱可能に構成され、前記印章の印面に対してインクを供給するインク供給体であって、
インクを供給するインク供給部を少なくとも二つ有し、
異なる向きで前記スタンプ本体に取り付けることで、異なるインク供給部が前記印章の印面に対してインクを供給可能に構成されることを特徴とするインク供給体。
【請求項２】
インクを保持するインク吸蔵体と、該インク吸蔵体を収容する収容空間が二つ形成された収容体とを備えて構成され、
前記各収容空間に異なる色のインク吸蔵体が配置されることで、異なる色を供給可能な二つのインク供給部が設けられることを特徴とする請求項１に記載の前記インク供給体。
【請求項３】
前記収容体は、枠部と、該枠部の高さ方向中間位置に設けられ、前記二つの収容空間を仕切る仕切部とを備え、互いに反対方向に開口するように構成されることを特徴とする請求項２に記載のインク供給体。
【請求項４】
請求項１〜３のいずれか一項に記載のインク供給体を備える自動着肉式スタンプ。
【考案の詳細な説明】
【技術分野】
【０００１】
本考案は、印章を内蔵するスタンプ本体を押印対象物に宛がい該押印対象物に向かって押印力を作用させると、前記印章の印面が押印対象物と当接する位置に前記印章が進出し、押印力を解除すると前記印章が退避するように構成される自動着肉式スタンプに対して着脱可能に構成され、前記印章の印面に対してインクを供給するインク供給体、及び、該インク供給体を備える自動着肉式スタンプに関する。
【背景技術】
【０００２】
従来、押印の度に印章を印肉に押圧して印面にインクを付着させることの煩わしさを解消すべく、インクが自動的に印面に供給されるタイプのスタンプが存在する。
【０００３】
このようなスタンプとしては、具体的には、印面にインクが常時供給されるよう、印章とインク供給体とが一体的に設けられたインク浸透式スタンプや、インク供給体を内蔵し、押印の前に印面にインクを付着させる上述のような動作を実際に機械的に行う自動着肉式スタンプなどがある。
【０００４】
この自動着肉式スタンプについて説明すると、印章を内蔵するスタンプ本体を押印対象物に宛がい該押印対象物に向かって押印力を作用させると、前記印章の印面が押印対象物と当接する位置に前記印章が進出し、押印力を解除すると前記印章が退避するように構成されるとともに、前記スタンプ本体に着脱可能に取り付けられるインク供給体を備え、前記印章の印面を前記インク供給体に当接させてインクが供給されるものである（例えば、特許文献１及び特許文献２）。
【０００５】
通常、このような自動着肉式スタンプは、特定の色のインク供給体がスタンプ本体に組み込まれた状態で流通するものであり、ユーザーは、自動着肉式スタンプを入手すると即座に使用することができる。
【０００６】
【特許文献１】特表２００３−５３２５６４号公報
【特許文献２】実開昭５４−１３４５２０号公報
【考案の開示】
【考案が解決しようとする課題】
【０００７】
ところで、かかる自動着肉式スタンプに組み込まれる従来のインク供給体は、インクを含有するインク吸蔵体を一つのみ備え、それぞれ一色ごとに設けられるものである。従って、自動着肉式スタンプを取り扱う業者は、かかるユーザーの要望に即座に対応すべく常時様々な色のインク供給体を色ごとに取り揃えておく必要があり、在庫管理の問題や正確な製造計画の立案が困難であるといった問題があった。
【０００８】
その一方、自動着肉式スタンプを含めた一般的なスタンプにおいては、インクの色としては少なくとも２色あればユーザーの大半の要望に応えることができることが経験的に判明している。例えば、日本において用いられるインクの色は大半が赤又は黒の二色であり、その割合は赤又は黒でほぼ半分ずつである。また、欧米では、赤又は青の二色が一般的であり、その二色の中でも特に青が多く用いられる。
【０００９】
そこで、本考案は、インクの色に関するユーザーの要望に即座に応えることができつつも、在庫を少なくし、且つ製造計画の立案を容易にすることを可能とするインク供給体及び自動着肉式スタンプを提供することを目的とする。
【課題を解決するための手段】
【００１０】
本考案に係るインク供給体は、印章を内蔵するスタンプ本体を押印対象物に宛がい該押印対象物に向かって押印力を作用させると、前記印章の印面が押印対象物と当接する位置に前記印章が進出し、押印力を解除すると前記印章が退避するように構成される自動着肉式スタンプに対して着脱可能に構成され、前記印章の印面に対してインクを供給するインク供給体であって、インクを供給するインク供給部を少なくとも二つ有し、異なる向きで前記スタンプ本体に取り付けることで、異なるインク供給部が前記印章の印面に対してインクを供給可能に構成されることを特徴とする。
【００１１】
上記構成からなるインク供給体によれば、スタンプ本体に着脱可能に取り付けられるインク供給体の向きを変更することにより、インクの色を変更することができる。従って、異なる色のインク供給体を準備しなくとも、ユーザーが要望する色に即座に対応することができる。
【００１２】
なお、前記インク供給体は、インク供給部のインクの色が異なるものが想定されているが、インク供給部のインクの色が同じ場合であっても、上記とは異なるメリットがある。例えば、あるインク供給部のインクが減って陰影が薄くなって来た際などであっても、インク供給体の向きを変えてスタンプ本体に取り付けることで、直ちにインクを補充することなく継続的に使用することができる。即ち、このような同色のインク供給部は、インクが減ってきたことを経時的に示唆する一種のインジケータとしても利用することができる。
【００１３】
また、前記インク供給体は、インクを保持するインク吸蔵体と、該インク吸蔵体を収容する収容空間が二つ形成された収容体とを備えて構成され、前記各収容空間に異なる色のインク吸蔵体が配置されることで、異なる色を供給可能な二つのインク供給部が設けられるものであることが好ましい。
【００１４】
上述のように、インクの色としては二色あれば足りることが経験的に判明しているため、上記構成によれば、大半のケースにおいて、一つのインク供給体によって即座に対応することができる。
【００１５】
また、前記収容体は、枠部と、該枠部の高さ方向中間位置に設けられ、前記二つの収容空間を仕切る仕切部とを備え、互いに反対方向に開口するように構成されるものであることが好ましい。
【００１６】
上記構成によれば、インク供給体の表裏の向きを逆にすることで色を変更することができる。また、仕切部によって異なる色のインク同士が混ざるのを良好に防止することができる。
【００１７】
そして、本考案に係る自動着肉式スタンプは、上述のようなインク供給体を備えるものであり、自動着肉式スタンプ自体もユーザーが要望する色に即座に対応することができるものとすることができる。
【考案の効果】
【００１８】
以上のように、本考案によれば、インクの色に関するユーザーの要望に即座に応えることができつつも、在庫を少なくし、且つ製造計画の立案を容易にすることが可能となる。
【考案を実施するための最良の形態】
【００１９】
以下に、本考案に係るインク供給体及び自動着肉式スタンプの実施形態について、図面に基づいて説明する。
【００２０】
まず、本考案に係るインク供給体を備える自動着肉式スタンプについて説明する。
【００２１】
自動着肉式スタンプ１は、図１に示すようなものであり、印章５０を内蔵するスタンプ本体１０を押印対象物Ｐに宛がい該押印対象物Ｐに向かって押印力を作用させると、前記印章５０の印面５１（図２参照）が押印対象物Ｐと当接する位置に前記印章５０が進出し、押印力を解除すると前記印章５０が退避するように構成されるとともに、前記スタンプ本体１０に着脱可能に取り付けられるインク供給体６０を備え、前記印章５０の印面５１を前記インク供給体６０に当接させてインクが供給されるものである。
【００２２】
前記スタンプ本体１０は、押印対象物Ｐに宛がわれた際に自動着肉式スタンプ１全体を前記押印対象物Ｐに対して位置決めする支持体２０と、該支持体２０に対してスライド可能且つ抜け止め状態で保持されるスライド体３０と、該スライド体３０と支持体２０とを互いに離間させるように付勢する弾性体４０とを備え、前記印章５０は、前記スライド体３０のスライドに伴って印面５１の向きを変えつつスライド体３０とともにスライドするように構成される。前記スライド体３０は、押印の際に、手で押し下げる等してユーザーが押印力を作用させる部材である。
【００２３】
また、前記スタンプ本体１０は、水平に置かれた押印対象物Ｐなどの平坦面に対して直立可能であり、前記スライド体３０は、スタンプ本体１０の直立方向に沿ってスライドするように構成される。説明の便宜上、前記自動着肉式スタンプ１を直立させた際の支持体２０側を下とし、スライド体３０側を上とする。
【００２４】
具体的には、前記印章５０は、少なくとも一部に平坦面を有し、該平坦面が前記印面５１となる。また、前記印章５０は、略直方体形状を有し、前記印面５１は、平面視四角形状に形成される。以下では、略直方体形状を有する印章５０の印面５１側を表とし、その反対側を裏とする。なお、印面５１には、ユーザーが指定した文字や絵柄等が形成されている。前記印章５０は、スライド体３０をスライドさせると、前記印面５１の向きを変更するように回転可能に構成される。より具体的には、前記印章５０は、スライド体３０を下方まで押し下げた際に前記印面５１が下方を向き、押印力を解除してスライド体３０が上方位置に復帰した際に前記印面５１が上方を向き、スライド体３０のスライドに伴って上下動（往復動）する間に印面５１の向きを反転させる。なお、前記印章５０の印面５１は、前記スライド体３０のストロークの下端部で押印対象物Ｐと当接する。
【００２５】
前記印章５０は、前記印面５１に平行な回転軸を中心に回転するように構成され、具体的には、前記回転軸に沿う直線状に印章５０の側面から突出する回転軸突起５２が設けられる（図２参照）。より具体的には、前記回転軸突起５２は、前記平面視四角形状の印面５１が有する対向する二辺から反対方向に突出するように設けられる。また、前記回転軸突起５２は、回転可能な状態で前記スライド体３０に保持され、スライド体３０の上下動に追随して上下動する。即ち、前記スライド体３０に押印力が加えられると、その押印力が回転軸突起５２を介して印章５０に伝達されるとともに、押印力を解除すると、前記弾性体４０の付勢力が回転軸突起５２を介して印章に作用して印章５０が上方に引き上げられる。具体的には、前記支持体２０には、前記印章５０の回転軸突起５２を案内するガイド溝２１が設けられる。
【００２６】
また、前記支持体２０には、印章５０の回転機構２２が設けられる。該回転機構２２は、ガイド溝２１の近傍に設けられ、前記印章５０の裏面の所定箇所に当接する干渉突起２３によって構成される。具体的には、前記干渉突起２３は、ガイド溝２１を挟んで対称な位置の任意の一方側に設けられる。従って、回転可能な印章５０を押し下げると、印章５０の回転軸を挟んで左右に分かれる印章５０の二つの部分のうち、干渉突起２３が設けられる側の部分が干渉突起２３と干渉する結果、反対側の部分が下方に変位する態様で、前記印章５０が回転軸を中心に回転することとなる。
【００２７】
より具体的には、前記印章５０の裏面側には、印面５１に直交する方向に沿って前記回転軸突起５２の位置から突出する回転凸部５３が設けられる。また、前記干渉突起２３には、上下方向中間位置に前記回転凸部５３を収容可能な凹部２４が設けられている。従って、前記印章５０の回転中には、前記回転軸突起５２が前記支持体２０及びスライド体３０に対して回転し、且つ、前記干渉突起２３の凹部２４に前記印章５０の回転凸部５３が入り込み、前記印章５０が該回転凸部５３を中心として回転する。なお、かかる回転の態様を図２に示す。
【００２８】
また、前記インク供給体６０は、上方を向く前記印章５０の印面５１に当接可能な位置に配置され、具体的には、前記印章５０の印面５１は、前記スライド体３０のストロークの上端部でインク供給体６０と当接する。
【００２９】
前記インク供給体６０は、前記支持体２０に設けられる供給体取付部２５に取り付けられ、該供給体取付部２５は、前記支持体２０の上方部分において前記上下方向と直交して形成される。従って、インク供給体６０は、前記支持体２０の側面から着脱される。なお、前記印章は、前記支持体２０とスライド体３０とを互いに離間させるように付勢する弾性体４０を介して、前記インク供給体６０に圧接される。
【００３０】
次に、前記インク供給体６０の特徴部分について説明する。インク供給体６０は、図３に示すように、インクを供給するインク供給部６１を少なくとも二つ有し、異なる向きで前記スタンプ本体１０に取り付けることで、異なるインク供給部６１，６１が前記印章５０の印面５１に対してインクを供給可能に構成される。
【００３１】
具体的には、前記インク供給体６０は、インクを保持するインク吸蔵体６２と、該インク吸蔵体６２を収容する収容空間が形成された収容体６８とを備えて構成される。また、前記インク供給体６０は、収容体６８に収容空間が二つ形成されて各収容空間に異なる色のインク吸蔵体６２が配置されることで、異なる色を供給可能な二つのインク供給部６１，６１が設けられる。そして、各インク吸蔵体６２，６２は、前記仕切部６４を挟んで対向し且つ厚み方向に重なる態様となる。
【００３２】
また、前記収容体６８は、枠部６３と、該枠部６３の高さ方向中間位置に設けられ、前記二つの収容空間を仕切る仕切部６４とを備え、互いに反対方向に開口するように構成される。該仕切部６４は、前記枠部６３の高さ方向の中間位置で該高さ方向に直交して設けられる。そして、これら枠部６３及び仕切部６４によって二つの前記収容空間が画成される。即ち、前記収容空間は、前記枠部６３及び仕切部６４によって包囲される空間である。
【００３３】
また、前記二つのインク供給部６１，６１の各収容空間は、同等の大きさ及び深さを有し、前記インク吸蔵体６２，６２は、脱落することのないよう圧縮された状態で各インク供給部６１，６１の各収容空間内に配置される。
【００３４】
さらに、前記インク供給体６０は、側面に係合部６５を有し、支持体２０の供給体取付部２５に挿入されると、該係合突起６５が支持体２０の内部（供給体取付部２５の側部）に形成される弾性係止部（図示しない）が該係合部６５の溝部分に嵌まり込む態様で係止される。また、前記インク供給体６０は、枠部６３の上部及び下部に係合突起６６を有し、支持体２０（供給体取付部２５の上部及び下部）に係止される。そして、前記インク供給体６０は、側面から側方に突出する当接突起６７を有し、該当接突起６７が支持体２０（供給体取付部２５の縁）に当接して、それ以上奥に入るのが規制される。
【００３５】
なお、前記インク供給体６０、及び、該インク供給体６０を構成するインク供給部６１に配置されるインク吸蔵体６２は、直方体形状に形成されるものであるが、かかる形状はスタンプ本体１０若しくは印章５０の印面５１の形状に合わせて適宜変更可能なものであり、特定の形状に限定されるものではない。
【００３６】
そして、前記インク供給体６０を備える自動着肉式スタンプ１を使用するに当たっては、前記インク供給体６０の有するインク供給部６１のうち、使用する色の方が下方を向くように取り付ける。
【００３７】
以上のように、本実施形態に係るインク供給体６０及び自動着肉式スタンプ１によれば、スタンプ本体１０に着脱可能に取り付けられるインク供給体６０の向きを変更することにより、インクの色を変更することができる。従って、異なる色のインク供給体６０をそれぞれ準備しなくとも、ユーザーが要望する色に即座に対応することができる。
【００３８】
なお、自動着肉式スタンプ１は、最初に使用する色を決定すると、特別な事情が存在しない限りその後に色が変更されることはなく、そのとき使用しているものとは異なる色のインクを用いることはないのであるが、自動着肉式スタンプ全体１に対するインクそのもののコストは小さいため、使用の際に不要な部分を小さく抑えつつもユーザーの要望に対する対応範囲を飛躍的に高めることができる。
【００３９】
ただし、自動着肉式スタンプ１は、印章５０の印面５１にインクを付着させて押印を行うものであるため、印面５１に残存するインクを溶剤等によって取り除けば、使用開始後であっても別の色に変更することができる。従って、使用開始後にインク供給体６０の向きを変えてスタンプ本体１０に装着し、異なる色のインクを用いることも当然に可能である。
【００４０】
また、上述のように、インクの色としては二色あれば足りることが経験的に判明しているところ、前記インク供給体６０は、インク供給部６１を二つ有し、各インク供給部６１，６１には異なる色のインク吸蔵体６２，６２が配置されるものであるため、大半のケースにおいて、一つのインク供給体６０によってユーザーの要望に即座に対応することができる。
【００４１】
また、前記インク供給体６０は、枠部６３と、該枠部６３の高さ方向の中間位置で該高さ方向に直交して設けられる仕切部６４とを備え、前記枠部６３及び仕切部６４によってインク吸蔵体６２の二つの収容空間が画成されるとともに、各インク吸蔵体６２，６２は、前記仕切部６４を挟んで対向し且つ厚み方向に重なるように前記二つのインク供給部６１，６１に配置される。
【００４２】
このため、インク供給体６０の表裏の向きを逆にすることで色を変更することができる。また、仕切部６４によって二つの収容空間が隔離されるため、異なる色のインク同士が混ざるのを良好に防止することができる。
【００４３】
なお、本考案に係るインク供給体及び自動着肉式スタンプは、上記実施形態に限定されるものではなく、本考案の要旨を逸脱しない範囲で種々の変更が可能である。
【００４４】
例えば、上記実施形態においては、前記インク供給体６０が二つのインク供給部６１，６１を有するものとして説明したが、これに限定されるものではなく、三つ以上有するものであってもよい。そのようなインク供給体としては、外周にそれぞれ異なる方向を向いて各インク供給部が設けられる構成が考えられる。その場合には、全てのインク供給部が異なる色である必要はなく、インク供給部の中には同じ色に設定されるものがあってもよい。
【００４５】
また、上記実施形態に係るインク供給体６０は、全てのインク供給部６１，６１のインクが同色であるとして説明したが、インク供給部のインクの色が同じ場合であっても、上記とは異なるメリットがある。この場合には、インク供給体一つで多数色に対応可能であるという利便性は失われるが、例えば、あるインク供給部のインクが減って陰影が薄くなって来た際などであっても、インク供給体の向きを変えてスタンプ本体に取り付けることで、直ちにインクを補充することなく継続的に使用することができる。即ち、各インク供給部は、インクが減ってきたことを経時的に示唆する一種のインジケータとしても利用することができる。
【図面の簡単な説明】
【００４６】
【図１】本考案の実施形態に係るインク供給体を備える自動着肉式スタンプを示す斜視図。
【図２】同実施形態に係る自動着肉式スタンプのスタンプ本体に内蔵される印章が支持体に設けられる回転機構によって回転する状態を示す説明図。
【図３】同実施形態に係るインク供給体を示す図であって、（Ａ）は斜視図、（Ｂ）は断面図。
【符号の説明】
【００４７】
１…自動着肉式スタンプ、１０…スタンプ本体、２０…支持体、２１…ガイド溝、２２…回転機構、２３…干渉突起、２４…凹部、２５…供給体取付部、３０…スライド体、４０…弾性体、５０…印章、５１…印面、５２…回転軸突起、５３…回転凸部、６０…インク供給体、６１…インク供給部、６２…インク吸蔵体、６３…枠部、６４…仕切部、６５…係合部、６６…係合突起、６７…当接突起、６８…収容体
【図１】
0003141178.tif 000003
【図２】
0003141178.tif 000004
【図３】
0003141178.tif 000005